(57)【要約】【課題】    プレビュー画像に応じてその表示時間を比較的容易に変更することが可能な電子機器を提供する。【解決手段】撮影部（１６）と、当該撮影部（１６）によって撮影された画像を撮影してから所定の時間が経過するまでプレビュー画像として表示する表示部（１１）と、ユーザの入力を受け付ける入力部（１２，１３）とを有し、入力部（１２，１３）がプレビュー画像の表示中に予め決められた第１の入力を受け付けると、表示部（１１）は、所定の時間の経過後も当該プレビュー画像を表示する。【選択図】図５
2013073470.tif 000002
【特許請求の範囲】
【請求項１】
撮影部と、
当該撮影部によって撮影された画像を撮影してから所定の時間が経過するまでプレビュー画像として表示する表示部と、
ユーザの入力を受け付ける入力部と
を有し、
前記入力部が前記プレビュー画像の表示中に予め決められた第１の入力を受け付けると、前記表示部は、前記所定の時間の経過後も当該プレビュー画像を表示する電子機器。
【請求項２】
前記表示部は、前記所定の時間の経過後は当該第１の入力が行われている間のみ前記プレビュー画像を表示する請求項１に記載の電子機器。
【請求項３】
前記入力部が前記第１の入力を受け付けると、前記表示部は、当該第１の入力を受け付けてから一定時間前記プレビュー画像を表示する請求項１に記載の電子機器。
【請求項４】
前記入力部は、タッチパネルであり、前記第１の入力は、当該タッチパネルに対するタッチ操作である請求項１から請求項３のいずれかに記載の電子機器。
【請求項５】
前記入力部が前記プレビュー画像の表示中に予め決められた第２の入力を受け付けると、当該プレビュー画像に対応する撮影画像を削除する請求項１から請求項４のいずれかに記載の電子機器。
【請求項６】
前記入力部が前記プレビュー画像の表示中に予め決められた第３の入力を受け付けると、当該プレビュー画像に対応する撮影画像を所定の保存先に保存する請求項１から請求項５のいずれかに記載の電子機器。
【請求項７】
前記入力部が前記プレビュー画像の表示中に前記第１の入力を受け付けない場合、前記表示部は、前記所定の時間が経過すると前記プレビュー画像を非表示にする請求項１から請求項６のいずれかに記載の電子機器。
【請求項８】
前記入力部が前記プレビュー画像の表示中に前記第１の入力を受け付けない場合、前記表示部は、前記所定の時間が経過すると前記プレビュー画像を保存するか否かの確認画面を表示する請求項１から請求項６のいずれかに記載の電子機器。
【発明の詳細な説明】
【技術分野】
【０００１】
本発明は、撮影機能を備えた携帯電話機等の電子機器に関する。
【背景技術】
【０００２】
従来の撮影機能を備えた携帯電話機には、撮影を行うと、撮影した画像が全く若しくは短時間しか表示されずに自動的にメモリに保存されるものがある。
【先行技術文献】
【特許文献】
【０００３】
【特許文献１】特開２００３−２９８９８７号公報
【発明の概要】
【発明が解決しようとする課題】
【０００４】
このような従来の携帯電話機では、ユーザが撮影した画像を十分に確認することができないという課題があった。
【０００５】
これを解決するために、撮影した画像をプレビュー表示する時間を十分長く設定しておくということも考えられるが、プレビュー表示される画像（プレビュー画像）によっては、確認するための時間がそれほど必要でないものもある。この場合、ユーザは、プレビュー表示の時間が必要以上に長いために、不快に感じる可能性がある。また、プレビュー表示の時間の設定を頻繁に変更することはユーザにとって面倒である。
【０００６】
よって、プレビュー画像に応じてその表示時間を比較的容易に変更することができる電子機器が求められている。
【課題を解決するための手段】
【０００７】
本発明の一実施形態に係る電子機器は、撮影部と、当該撮影部によって撮影された画像を撮影してから所定の時間が経過するまでプレビュー画像として表示する表示部と、ユーザの入力を受け付ける入力部とを有する。前記入力部が前記プレビュー画像の表示中に予め決められた第１の入力を受け付けると、前記表示部は、前記所定の時間の経過後も当該プレビュー画像を表示する。
【発明の効果】
【０００８】
本発明の一実施形態に係る電子機器によれば、プレビュー画像に応じてその表示時間を比較的容易に変更することができる。
【図面の簡単な説明】
【０００９】
【図１】本発明の第１の実施形態による電子機器を正面から見たときの外観斜視図である。
【図２】本発明の第１の実施形態による電子機器を背面から見たときの外観斜視図である。
【図３】本発明の第１の実施形態による電子機器の構成例を示すブロック図である。
【図４】制御部による撮影処理の一例を示すフローチャートである。
【図５】制御部による撮影処理の一例を示すフローチャートであって、図４の続きを示すフローチャートである。
【図６】表示画面に表示される画像の例であり、（ａ）はスルー画像の一例、（ｂ）はプレビュー画像の一例である。
【図７】ユーザによるタッチ操作を説明するための図である。
【図８】制御部による撮影処理の他の例を示すフローチャートであって、図４の続きを示すフローチャートである。
【図９】撮影後ポップアップが表示された表示画面の一例を示す図である。
【図１０】（ａ）は表示画面におけるスライド方向の一例を示す図であり、（ｂ）は（ａ）に示したスライド方向と当該スライド方向に対応した処理との関係を示すテーブルである。
【図１１】本発明の第２の実施形態による電子機器の制御部による撮影処理の例を示すフローチャートであって、図４の続きを示すフローチャートである。
【図１２】制御部による撮影処理の例を示すフローチャートであって、図１１の続きを示すフローチャートである。
【図１３】制御部による撮影処理の例を示すフローチャートであって、図１２の続きを示すフローチャートである。
【図１４】制御部による撮影処理の例を示すフローチャートであって、図１２，図１３の続きを示すフローチャートである。
【図１５】ユーザによるスライド操作を説明するための図である。
【発明を実施するための形態】
【００１０】
以下、本発明の実施形態について図面を参照しつつ説明する。
（第１の実施形態）
＜１．構成＞
図１および図２は、本発明の第１の実施形態による電子機器の構成例を示す外観斜視図であり、図１は、本実施形態による電子機器を正面から見たときの外観斜視図、図２は、本実施形態による電子機器を背面から見たときの外観斜視図である。図１および図２に示すように、ここでは、本実施形態による電子機器の一例として、携帯電話機１０を挙げている。携帯電話機１０は、その外観に、表示部１１、タッチパネル入力部１２、キー入力部１３ａ，１３ｂ，１３ｃ（特に区別する必要がない場合は、まとめて「キー入力部１３」ということがある。）、音出力部１４、音入力部１５、および撮影部１６を備えている。
【００１１】
表示部１１は、カラー表示を行うバックライト方式の液晶表示部であって、液晶パネルからなる表示画面と当該液晶パネルに光を照射するためのバックライトとを備えている。表示部１１は、後述する制御部２８から入力された制御信号に基づき文字、図形、記号、画像などの各種情報を表示画面に表示する。表示部１１は、液晶表示部に限らず、例えば、有機ＥＬディスプレイであってもよいし、複数のＬＥＤがマトリックス上に配列されたディスプレイであってもよい。
【００１２】
タッチパネル入力部１２は、表示部１１の表示画面上に配され、ユーザからの画面操作を受け付ける。タッチパネル入力部１２は、受け付けた画面操作を入力信号として制御部２８に出力する。
【００１３】
キー入力部１３ａ，１３ｂ，１３ｃは、ユーザからの操作を受け付ける。各キー入力部１３ａ，１３ｂ，１３ｃが受け付けた入力は、入力信号として制御部２８に出力される。各キー入力部１３ａ，１３ｂ，１３ｃには、携帯端末装置１００に備えられた各種機能に関する操作が割り当てられる。キー入力部１３ａは、例えば、電源のオンオフの切替えを行うためのキーである。キー入力部１３ｂは、例えば、音量の調整、又は表示部１１の輝度の調整などを行うためのキーである。キー入力部１３ｃは、例えば、表示部１１に表示された画面を切り換えるためのキーである。なお、キー入力部１３とタッチパネル入力部
１２を特に区別する必要がない場合は、まとめて「ユーザ入力部１２，１３」という。
【００１４】
音出力部１４は、スピーカなどで構成され、制御部２８から出力された制御信号に基づいて外部に音を出力する。
【００１５】
音入力部１５は、マイクなどで構成され、音声などの外部からの音をアナログ信号に変換して後述する音声信号処理部２１に出力する。
【００１６】
撮影部１６は、光学レンズ、およびＣＣＤやＣＭＯＳ等の光学センサを有し、光学レンズを介して入力される画像を光学センサによって電気信号に変換し、画像データを生成する。さらに、撮影部１６は、画像データの画質を向上させるための画像処理を実行する画像処理回路等を含んでいてもよい。
【００１７】
図３は、本実施形態による携帯電話機１０の構成例を示すブロック図である。図３に示すように、携帯電話機１０は、表示部１１、タッチパネル入力部１２、キー入力部１３、音出力部１４、音入力部１５、撮影部１６、音声信号処理部１７、アンテナ部１８、無線信号処理部１９、振動部２０、ＲＯＭ２１、ＲＡＭ２２、画像メモリ２３、Ｉ／Ｆ２４、近距離通信部２５、電源制御部２６、時間計測部（タイマー）２７、および制御部２８を有する。
【００１８】
アンテナ部１８は、所定の周波数の電磁波を受信して高周波信号として無線信号処理部１９に出力する。また無線信号処理部１９より出力された高周波信号を所定の周波数の電磁波として出力する。
【００１９】
無線信号処理部１９は、他の携帯端末や基地局と無線通信を行う。無線信号処理部１９はアンテナ部１８から入力された高周波信号に復調処理および復号処理を施してデジタルの音声信号へと変換する。また、無線信号処理部１９は、制御部２８から入力されたデジタルの音声信号に符号化処理および変調処理を施して高周波信号に変換し、その高周波信号をアンテナ部１８へ出力する。さらに、携帯電話機１０は、メール機能を有しており、無線信号処理部１９およびアンテナ部１８を介して他の携帯端末などとメールの送受信を行う。
【００２０】
振動部２０は、モータによって構成され、制御部２８から出力された制御信号によって機械的振動を生じさせる。振動部２０は、例えば、電話の着信、メールの受信、およびアラーム日時到来などを機械的振動によって報知する。
【００２１】
音声信号処理部１７は、入力されたデジタル信号をアナログ信号に変換して、当該変換したアナログ信号を音出力部１４へ出力する。さらに、音声信号処理部１７は、音入力部１５より入力されたアナログ信号をデジタル信号に変換して出力する。
【００２２】
ＲＯＭ２１は、携帯電話機１０に備えられた機能を実行するためのプログラムやデータなどを記憶する。制御部２８は、ＲＯＭ２１へアクセス可能であり、機能を実行するために必要なプログラムやデータなどを読み出す。
【００２３】
ＲＡＭ２２は、制御部２８からアクセス可能であり、制御部２８の作業記憶領域やバッファ領域として利用される。ＲＡＭ２２は、撮影中の画像を一度バッファリングするための記憶領域を含む。
【００２４】
画像メモリ２３は、撮像部１６で撮像された画像ファイルやアンテナ１８および無線信号処理部１８を介してダウンロードされた画像ファイルを記憶する。
【００２５】
Ｉ／Ｆ２４には、着脱可能な外部メモリＭが装着される。制御部２８は、Ｉ／Ｆ２４を介して外部メモリＭへのアクセスが可能であり、例えば外部メモリＭに記憶されたプログラムやデータなどを読み出し実行する。外部メモリＭは、プログラムやデータなどを記憶する媒体であればよく、例えば、メモリーカード、ＨＤＤ（ＨＡＲＤ  ＤＩＳＣ  ＤＲＩＶＥ）、ＳＩＭカードなどがある。また上記プログラムやデータには、外部メモリＭから直接読み出し実行可能なプログラムに限られず、暗号化されたプログラム、圧縮処理されたプログラム、画像データ、音声データ、又は文章データなどが含まれる。
【００２６】
本実施形態による携帯電話機１０では、撮影部１６よって撮影された画像が、一旦ＲＡＭ２２に記憶されるとともに、その画像が、撮影してから所定の時間Ｔ（第１の時間Ｔ）が経過するまでプレビュー画像として表示部１１の表示画面に表示される。そして、第１の時間Ｔが経過した後、そのプレビュー画像が表示画面から消える。また、第１の時間Ｔが経過した後、そのＲＡＭ２２に記憶された画像が、自動的に画像メモリ２３又は外部メモリＭに保存される。
【００２７】
近距離通信部２５は、赤外線通信などの近距離無線通信を行う。近距離通信部２５は、例えば、アドレス帳に登録された発信先情報やデータフォルダに記憶された画像データを近距離にいる通信相手先と送受信する。
【００２８】
電源制御部２６は、電源Ｐｗとしての電池の残量の測定を行うとともに、制御部２８の指示に基づいて、必要な電圧を必要な期間、各構成要素へ供給する。
【００２９】
時間計測部（タイマー）２７は、制御部２８の指示に基づいて時間の計測を開始する。この時間計測部２７は、例えば、プレビュー画像を表示する表示時間（第１の時間Ｔ）を計測し、当該第１の時間Ｔが経過したときは、経過したことを示す信号を制御部２８に出力する。
【００３０】
制御部２８は、携帯電話機１０に備えられた機能やハードウェアを制御する。また、タッチパネル入力部１２およびキー入力部１３からの制御信号の入力により携帯電話機１０に備えられた各種機能を実行する。
【００３１】
本実施の形態による携帯電話１０では、表示部１１の表示画面にプレビュー画像が表示されている間に、ユーザが所定の画面操作を行うと、第１の時間Ｔの経過後も当該プレビュー画像が継続して表示される。以下に、この場合の携帯電話機１０の動作について詳細に説明する。
【００３２】
＜２．動作＞
図４および図５は、図１の携帯電話機１０の制御部２８による撮影処理の一例を示すフローチャートである。タッチパネル入力部１２は、ユーザから撮影部１６の起動を指示する旨の入力、すなわち、ユーザが表示画面に表示されたカメラアイコンをタッチするなど、撮影機能を実行するタッチ操作を受け付けた場合、受け付けた画面操作を入力信号として制御部２８に出力する。
【００３３】
制御部２８は、タッチパネル入力部１２から入力信号を受け付けると（ステップ１１：Ｓ１１）、撮影部１６を起動する（ステップ１２：Ｓ１２）。次に、図６（ａ）に示すように、表示部１１にリアルタイム画像（スルー画像）を表示させる（ステップ１３：Ｓ１３）。スルー画像の表示画面には、受信状態表示アイコン１０１、電池残量表示アイコン１０２、現在時刻表示１０３、カメラモード（静止画モード）とムービーモード（動画モード）とを切り替えるモード切り替えアイコン１０４、およびシャッターアイコン１０５が表示される。図６（ａ）に示すように、ここでは、静止画像の撮影動作であるカメラモードが選択されている。なお、これらのアイコン表示は一例であり、例えば、受信状態表示アイコン１０１、電池残量表示アイコン１０２、および現在時刻表示１０３などは、省略されてもよい。また、図６（ａ）に示したアイコン以外の別のアイコンが表示されていてもよい。
【００３４】
次に、制御部２８は、シャッターアイコン１０５が押圧されたか否か判断する（ステップ１４：Ｓ１４）。制御部２８は、ユーザがシャッターアイコン１０５を指でタッチするなどして、シャッターアイコンが押圧されたと判断すると（Ｓ１４においてＹＥＳ）、撮影部１６に撮影処理を行わせ（ステップ１５：Ｓ１５）、得られた画像データをＲＡＭ２２に記憶させる。なお、制御部１６は、撮像部１６による撮影処理によって得られた画像データをＲＡＭ２２に記憶させる前に、当該画像データに対して、例えば、撮影部１６が有する画像処理回路に各種画像処理を行わせることもできる。
【００３５】
一方、シャッターアイコン１０５が押圧されていないと判断すると（Ｓ１４においてＹＥＳ）、ステップＳ１４に戻り、シャッターアイコン１０５が押圧されたか否かの判断を繰り返す。そして、その後、シャッターアイコンが押圧されたと判断すると（Ｓ１４においてＹＥＳ）、ステップＳ１５に進む。
【００３６】
制御部２８は、撮影部１６に撮影処理を行わせた（Ｓ１５）後、表示部１１に、撮影された画像（ＲＡＭ２２に記憶された画像）をプレビュー表示させる（ステップ１６：Ｓ１６）。ここで、プレビュー表示された画像（プレビュー画像）の一例を図６（ｂ）に示す。
【００３７】
また、制御部２８は、撮影後プレビュー画像を表示させると、タイマー２７を起動し、時間の計測を開始させる（ステップ１７：Ｓ１７）。
【００３８】
次に、制御部２８は、タッチパネル入力部１２に対してユーザが所定の入力を行ったか否か判断する（ステップ１８：Ｓ１８）。ここで、所定の入力とは、ユーザがタッチパネル入力部１２に対して行うタッチ操作である。
【００３９】
なお、「タッチ操作」とは、図７に示すように、ユーザがタッチパネル入力部１２の上面を指で触れる操作である。また、タッチパネル入力部１２に対してユーザが所定の入力を行ったか否かは、タッチ操作がなされた場合にタッチパネル入力部１２が制御部２８に対して出力する信号を制御部２８が検知したか否かで判断することができる。
【００４０】
制御部２８は、当該所定の入力が行われていないと判断した場合（Ｓ１８においてＮＯ）、タイマー２７による計測時間が第１の時間Ｔを超えたか否か、すなわちプレビュー画像の表示時間が第１の時間Ｔを超えたか否かを判断する（ステップ１９：Ｓ１９）。
【００４１】
制御部２８は、プレビュー画像の表示時間が第１の時間Ｔを超えていない場合には（Ｓ１９においてＮＯ）、ステップ１９に戻り、プレビュー画像の表示時間が第１の時間Ｔを超えたか否かの判断を繰り返す。当該表示時間が第１の時間Ｔを超えたと判断すると（Ｓ１９においてＹＥＳ）、ステップＳ２０に進む。
【００４２】
制御部２８は、プレビュー画像の表示時間が第１の時間Ｔを超えたと判断すると（Ｓ１９においてＹＥＳ）、表示部１１にプレビュー画像の表示を停止させ（ステップ２０：Ｓ２０）、ＲＡＭ２２に記憶された画像を撮影画像として、ユーザによって保存先に設定された画像メモリ２３又は外部メモリＭに保存させて（ステップ２１：Ｓ２１）、処理を終了する。
【００４３】
一方、制御部２８は、ステップＳ１８において、ユーザが所定の入力を行ったと判断すると（Ｓ１８においてＹＥＳ）、タイマー２７による計測時間が第１の時間Ｔを超えたか否か、すなわちプレビュー画像の表示時間が第１の時間Ｔを超えたか否かを判断する（ステップ２２：Ｓ２２）。
【００４４】
制御部２８は、プレビュー画像の表示時間が第１の時間Ｔを超えていない場合には（Ｓ２２においてＮＯ）、ステップ２２に戻り、プレビュー画像の表示時間が第１の時間Ｔを超えたか否かの判断を繰り返す。当該表示時間が第１の時間Ｔを超えたと判断すると（Ｓ２２においてＹＥＳ）、ステップＳ２３に進む。
【００４５】
制御部２８は、プレビュー画像の表示時間が第１の時間Ｔを超えたと判断すると（Ｓ２２においてＹＥＳ）、ユーザによる入力が解除されていないか判断する（ステップ２３：Ｓ２３）。制御部２８は、入力が解除されていない、つまり、本実施形態では引き続きタッチ操作が行われていると判断すると（Ｓ２３においてＹＥＳ）、表示部１１にプレビュー画像を継続して表示させる（ステップＳ２４）。そして、ステップＳ２３に戻って、ユーザによる入力は解除されていないかの判断を繰り返す。
【００４６】
一方、制御部２８は、入力が解除された、つまり、ユーザがタッチパネルから指を離すなどしてタッチ操作が行われなくなったと判断すると（Ｓ２３においてＮＯ）、上記ステップＳ２０，Ｓ２１の処理を行う。
【００４７】
この例では、タッチパネル入力部１２に対してタッチ操作が行われている間は、プレビュー画像が表示され、ユーザがタッチ操作を止めて、タッチパネル入力部１２に対するタッチ操作が行われなくなると、プレビュー画像の表示が停止される。すなわち、表示部１１は、撮影から時間Ｔが経過した後は、上記タッチ操作が行われている間のみプレビュー画像を表示する。
【００４８】
また、別の例として、以下のような処理も可能である。図８は、制御部による撮影処理の他の例を示すフローチャートであって、図５の代わりに図４の続きを示すフローチャートである。図８において、図５と同一の処理には同一の符合を付し、説明を省略する。
【００４９】
図８に示すように、制御部２８は、入力が解除されていない、すなわち引き続きタッチ操作が行われていると判断すると（Ｓ２３においてＹＥＳ）、表示部１１にプレビュー画像を継続して表示させる（ステップＳ２４）。そして、プレビュー画像の継続表示を開始すると、再度、タイマー２７に時間計測を開始させる（ステップ３１：Ｓ３１）。
【００５０】
次に、制御部２７は、時間計測を開始してから予め決められた第２の時間ｔｍが経過したか否かを判断する（ステップ３２：Ｓ３２）。制御部２８は、ステップ３２において、第２の時間ｔｍが経過したと判断すると（Ｓ３２においてＹＥＳ）、表示部１１にプレビュー画像の表示を停止させ（ステップ３３：Ｓ３３）、ＲＡＭ２２に記憶された画像を撮影画像として、ユーザによって保存先に設定された画像メモリ２３又は外部メモリＭに保存させて（ステップ３４：Ｓ３４）、処理を終了する。なお、ステップＳ３３，Ｓ３４は、上記ステップＳ２０，Ｓ２１と同一の処理である。
【００５１】
一方、制御部２８は、第２の時間ｔｍが経過していないと判断した場合には（Ｓ３２においてＮＯ）、ステップ３２に戻り、プレビュー画像の表示時間が第２の時間ｔｍを超えたか否かの判断を繰り返す。そして、その後、第２の時間ｔｍが経過した場合に、ステップＳ３３に進む。
【００５２】
この例では、プレビュー画像の表示中にタッチパネル入力部１２に対してタッチ操作が行われた場合には、タッチパネル入力部１２に対するタッチ操作が行われてから、第２の時間ｔｍだけプレビュー画像を表示し、その後、プレビュー画像の表示を停止して、ユーザによって設定された保存先に撮影画像を保存する。すなわち、タッチ操作が行われた後、ユーザが表示画面から指を離してタッチ操作をやめた場合でも、第１の時間Ｔの経過後第２の時間ｔｍは、プレビュー画像が表示される。
【００５３】
なお、上述の例では、ステップ１９における「所定の入力」を、ユーザがタッチパネル入力部１２に対して行うタッチ操作としたがこれに限らない。タッチ操作の代わりに、例えば、画面をタッチして続けて指を離す「タッチアンドリリース」、２回連続してタッチアンドリリースを行う「ダブルタッチ」、２か所にほぼ同時にタッチする「マルチタッチ」等の操作であってもよい。
【００５４】
さらに、ステップ１９の「所定の入力」は、タッチパネル入力部１２に対する入力に限らず、キー入力部１３に対する入力、すなわちキー操作であってもよい。キー操作であれば、指がタッチパネル入力部１２に触れないので、例えば、プレビュー画像が指によって見えにくくなるといったことを回避できる。
【００５５】
以上のように、本実施の形態による携帯電話機１０によれば、プレビュー画像の表示中に、ユーザ入力部１２，１３が入力を受け付けると、第１の時間Ｔの経過後も当該プレビュー画像を表示する。よって、ユーザは、比較的簡単な方法で、プレビュー画像の表示時間を延長することができ、これにより、プレビュー画像を十分に確認した上で、所望の保存先に保存することが可能になる。
【００５６】
以上は、第１の時間Ｔを経過した後、表示された画像が、ユーザが予め設定された保存先に自動的に保存される場合について説明したが、例えば、図９に示すように、撮影後、第１の時間Ｔが経過すると、その撮影画像を保存するか否かをユーザに確認するポップアップが表示画面に表示される場合についても適用できる。
【００５７】
この場合は、プレビュー画面の表示中にユーザがタッチパネル入力部１２をタッチした場合、タッチしている間若しくはタッチしてから一定時間は、ポップアップが表示されないので、ユーザは、ポップアップに遮られずにプレビュー画像を十分に確認することができる。よって、ユーザがプレビュー画像の十分な確認をしていない状態で、保存するか否かの判断が求められるといったことを回避することができる。
【００５８】
なお、これまで説明した実施の形態では、撮影部１６よって撮影された画像が、一旦ＲＡＭ２２に記憶され、その画像が、撮影してから第１の時間Ｔが経過するまでプレビュー画像として表示部１１の表示画面に表示されるとしたが、一旦ＲＡＭ２２に記憶されるのではなく、直接画像メモリ２３又は外部メモリＭに保存されてもよい。すなわち、画像メモリ２３に保存された画像が、撮影してから第１の時間Ｔが経過するまでプレビュー画像として表示されてもよい。この場合、例えば、図９に示すポップアップが表示された場合にユーザが「いいえ」を選択すると、画像メモリ２３に保存された画像が削除される。
【００５９】
（第２の実施形態）
次に、本発明の第２の実施形態による電子機器について説明する。本実施形態による電子機器についても、一例として、携帯電話機１０を挙げている。なお、本実施形態による電子機器は、第１の実施形態による電子機器と比較して、実行する撮影処理は異なるが、その構成（図１〜図３）は同様である。よって、当該構成については、説明を省略する。本実施の形態による電子機器では、プレビュー画像の表示時間の変更に加え、ユーザ入力部１２，１３に対する入力の種類に応じて、プレビュー画像に対応する画像データの削除や、当該画像データの保存先の選択も行うことができる。
【００６０】
例えば、プレビュー画像の表示中にユーザが表示画面を撫でる操作を行う場合、撫でる方向によって異なる処理を設定することができる。ここで、このような撫でる操作を「スライド操作」ともいう。図１０（ａ）は、表示画面におけるスライド方向の一例を示している。
【００６１】
図１０（ｂ）は、図１０（ａ）に示したスライド方向と当該スライド方向に対応した処理との関係を示したテーブルである。このテーブルは、ＲＡＭ２０に格納され、制御部２８によって適宜参照される。
【００６２】
図１１〜図１４は、図１の携帯電話機の制御部２８による撮影処理の他の例を示すフローチャートであって、図５，図８の代わりに図４の続きを示すフローチャートである。図１１〜図１４において、図５と同一の処理には同一の符合を付し、説明を省略する。図１１に示すように、制御部２８は、入力が解除されていない、すなわち引き続きタッチ操作が行われていると判断すると（Ｓ２３においてＹＥＳ）、そのまま移動操作が行われたか否か、すなわち表示画面を撫でる操作（スライド操作）が行われたか否かを判断する（ステップ４１：Ｓ４１）。
【００６３】
制御部２８は、移動操作が行われていないと判断した場合（Ｓ４１においてＮＯ）、表示部１１にプレビュー画像を継続して表示させる（ステップ４２：Ｓ４２）。そして、ステップＳ２３に戻って同様の処理を繰り返す。
【００６４】
一方、移動操作が行われたと判断すると（Ｓ４１においてＹＥＳ）、制御部２８は、その移動方向を判断する。具体的には、図１２に示すように、制御部２８は、移動方向（スライド方向）がＹ方向であるか否か判断し（ステップ４３：Ｓ４３）、移動方向がＹ方向であると判断すると（Ｓ４３においてＹＥＳ）、続いてその方向が上方向であるか否かを判断する（ステップ４４：Ｓ４４）。移動方向が上方向とは、例えば、図１５におけるＹｕの方向である。
【００６５】
ここで、制御部２８が上方向であると判断した場合（Ｓ４４においてＹＥＳ）、図１０（ｂ）のテーブルを参照すると画像データを外部メモリＭへ保存するという処理が設定されているため、表示部１１に「画像データを外部メモリに保存します。」という旨を報知するポップアップを表示させる（ステップ４５：Ｓ４５）。ここで、ポップアップにおいて、上記報知とともにＯＫボタンおよびキャンセルボタンが表示されれば、ユーザの意思確認をより確実に行うことができる。制御部２０は、ＯＫボタンが押されたか否かを判断し（ステップ４６：Ｓ４６）、ＯＫボタンが押されれば（Ｓ４６においてＹＥＳ）、画像データを外部メモリＭに保存する（ステップ４７：Ｓ４７）。一方、キャンセルボタンが押されれば（Ｓ４６においてＮＯ）、図１４の処理に移る。この図１４の処理については、後述する。
【００６６】
また、制御部２８は、ステップＳ４４において、上方向でない（つまり、下方向である）と判断した場合（Ｓ４４においてＮＯ）、図１０（ｂ）のテーブルを参照すると画像データを画像メモリ２３へ保存するという処理が設定されているため、表示部１１に「画像データを内蔵メモリに保存します。」という旨を報知するポップアップを表示させる（ステップ４８：Ｓ４８）。ここで、ポップアップにおいて、上記報知と同時に、ＯＫボタンおよびキャンセルボタンを表示すれば、ユーザの意思確認をより確実に行うことができる。制御部２０は、ＯＫボタンが押されたか否かを判断し（ステップ４９：Ｓ４９）、ＯＫボタンが押されれば（Ｓ４９においてＹＥＳ）、画像データを画像メモリ２３に保存する（ステップ５０：Ｓ５０）。一方、キャンセルボタンが押されれば（Ｓ４９においてＮＯ）、図１４の処理に移る。
【００６７】
また、制御部２８は、ステップＳ４３において、移動方向がＹ方向でないと判断すると（Ｓ４３においてＹＥＳ）、図１３に示すように、移動方向がＸ方向か否か判断する（ステップ５１：Ｓ５１）。制御部２８は、Ｘ方向でないと判断すると（ステップＳ５１においてＮＯ）、図１４の処理に移る。一方、Ｘ方向であると判断すると（ステップＳ５１においてＹＥＳ）、その方向が右方向であるか否かを判断する（ステップ５２：Ｓ５２）。移動方向が右方向とは、例えば、図１５におけるＸｒの方向である。
【００６８】
制御部２８は、右方向であると判断した場合（ステップ５２においてＹＥＳ）、図１０（ｂ）のテーブルを参照するとプレビュー表示を行っている画像データの削除が設定されているため、表示部１１に「画像データを削除します。」という旨を報知するポップアップを表示させる（ステップ５３：Ｓ５３）。ポップアップには、上記報知と同時に、ＯＫボタンおよびキャンセルボタンが表示される。制御部２０は、ＯＫボタンが押されたか否かを判断し（ステップ５４：Ｓ５４）、ＯＫボタンが押されれば（ステップＳ５４においてＹＥＳ）、プレビュー画像に対応する画像データを削除し（ステップＳ５５）、処理を終了する。一方、キャンセルボタンが押されれば（ステップＳ５４においてＮＯ）、図１４の処理に移る。
【００６９】
また、制御部２８は、右方向でない（つまり、左方向である）と判断した場合（ステップ５２においてＹＥＳ）、図１０（ｂ）のテーブルを参照するとプレビュー画像の表示時間の延長が設定されているため、表示部１１に「表示時間を延長します。」という旨を報知するポップアップを表示させる（ステップ５６：Ｓ５６）。ここで、ポップアップにおいて、上記報知と同時に、ＯＫボタンおよびキャンセルボタンが表示される。制御部２０は、ＯＫボタンが押されたか否かを判断し（ステップ５７：Ｓ５７）、ＯＫボタンが押されれば（ステップＳ５７においてＹＥＳ）、図４のステップＳ１７に戻る。一方、キャンセルボタンが押されれば（ステップＳ５７においてＮＯ）、図１４の処理に移る。
【００７０】
次に、図１４の処理について説明する。図１４に示すように、制御部２８は、入力が行われたか否か、すなわち、ここではタッチパネル入力部１２に対してユーザがタッチ操作を行ったか否か判断する（ステップ６１：Ｓ６１）。
【００７１】
制御部２８は、ステップ６１において、ユーザがタッチ操作を行っていないと判断すると（Ｓ６１においてＮＯ）、タイマー２７を起動し、時間の計測を開始させる（ステップ６２：Ｓ６２）。次に、制御部２８は、タイマー２７による計測時間（経過時間）が第３の時間Ｔｓを超えたか否かを判断する（ステップＳ６３：Ｓ６３）。
【００７２】
タイマー２７による計測時間が第３の時間Ｔｓを超えた場合（ステップＳ６３においてＹＥＳ）、制御部２８は、入力が行われていないか、すなわち、ユーザによるタッチ操作が行われていないか判断する（ステップ６４：Ｓ６４）。
【００７３】
制御部２８は、入力が行われていないと判断すると（ステップＳ６４においてＹＥＳ）、表示部１１にプレビュー画像の表示を停止させ（ステップ６５：Ｓ６５）、そのプレビュー画像を画像メモリ２３又は外部メモリＭ等のデフォルトの保存先に保存させて（ステップ６６：Ｓ６６）、処理を終了する。なお、これらのステップＳ６５，Ｓ６６は、上記ステップＳ２０，Ｓ２１と同一の処理である。
【００７４】
このように、ユーザがタッチ操作を行っていないと判断してから、第３の時間Ｔｓが経過するまでにタッチ操作が行われないと、プレビュー画像は撮影画像としてデフォルトの保存先に保存される。
【００７５】
一方、制御部２８は、タイマー２７による計測時間が第３の時間Ｔｓを超えていないと判断した場合には（Ｓ６３においてＮＯ）、ステップＳ６４に戻り、タイマー２７による計測時間が第３の時間Ｔｓを超えたか否かの判断を繰り返す。そして、その後、第３の時間Ｔｓが経過した場合に、ステップＳ６５，Ｓ６６に進む。
【００７６】
また、制御部２８は、ステップＳ６１において、ユーザがタッチ操作を行ったと判断すると（Ｓ６１においてＹＥＳ）、そのまま移動操作が行われたか否か、すなわち表示画面を撫でる操作（スライド操作）が行われたか否かを判断する（ステップ６７：Ｓ６７）。
【００７７】
制御部２８は、ステップＳ６６において、移動操作が行われていると判断した場合（Ｓ６７においてＹＥＳ）、図１２のステップＳ４３の処理に進み、上述の動作と同様の動作を繰り返す。
【００７８】
一方、制御部２８は、移動操作が行われていないと判断した場合（Ｓ６７においてＮＯ）、タイマー２７を起動し、時間の計測を開始させる（ステップ６８：Ｓ６８）。次に、制御部２８は、タイマー２７による計測時間（経過時間）が第３の時間Ｔｓを超えたか否かを判断する（ステップ６９：Ｓ６９）。
【００７９】
タイマー２７による計測時間が第３の時間Ｔｓを超えた場合（ステップＳ６９においてＹＥＳ）、制御部２８は、入力が行われていないか、すなわち、ユーザによるタッチ操作が行われていないか判断する（ステップ７０：Ｓ７０）。
【００８０】
制御部２８は、入力が行われていないと判断すると（ステップＳ７０においてＹＥＳ）制御部２８は、表示部１１にプレビュー画像の表示を停止させ（Ｓ６５）、そのプレビュー画像を画像メモリ２３又は外部メモリＭ等のデフォルトの保存先に保存させて（ステップＳ６６）、処理を終了する。
【００８１】
制御部２８は、タイマー２７による計測時間が第３の時間Ｔｓを超えていないと判断した場合には（Ｓ６９においてＮＯ）、ステップＳ６９に戻り、タイマー２７による計測時間が第３の時間Ｔｓを超えたか否かの判断を繰り返す。そして、その後、第３の時間Ｔｓが経過した場合に、ステップＳ６５，Ｓ６６に進む。
【００８２】
また、制御部２８は、ステップＳ６４およびステップＳ７０において、入力が行われていないと判断すると（ステップＳ６４においてＮＯ，ステップＳ７０においてＮＯ）、ステップＳ６７に戻って処理を行う。
【００８３】
本実施形態による携帯電話機１０によれば、プレビュー画像の表示時間の変更に加え、ユーザ入力部１２，１３に対する入力の種類に応じて、プレビュー画像に対応する画像データの削除や、当該画像データの保存先の選択も行うことができる。また、プレビュー画像の表示時間を延長して、撮影画像を十分に確認した後、比較的簡単な操作で、その撮影画像の削除や所望の保存先への保存を実行することができる。
【００８４】
なお、撮影部１６よって撮影された画像は、一旦ＲＡＭ２２に記憶されるとともに、プレビュー表示されてよい。この場合、ユーザ入力部１２，１３に対する入力の種類に応じて、ＲＡＭ２２に記憶された画像データの削除や、当該画像データの保存先の選択を行うことができる。
【００８５】
また、撮影部１６によって撮影された画像は、一旦ＲＡＭ２２に記憶されるのではなく、画像メモリ２３に保存されてもよい。この場合、ユーザが画像データの削除を選択すると、画像メモリ２３に保存された画像データが削除される。また、ユーザが画像データの
保存先として画像メモリ２３を選択した場合には、その画像データは画像メモリ２３に継続して保存され、画像データの保存先として外部メモリＭを選択した場合には、その画像データは画像メモリ２３から外部メモリＭに転送される。
【００８６】
なお、上述の実施の形態は本発明が携帯電話気に適用されたものとして説明したが、この発明は、携帯電話機だけではなく、電子（デジタル）カメラ装置にも適用できることはもちろんである。
【符号の説明】
【００８７】
１０：携帯電話機
１１：表示部
１２：タッチパネル入力部
１３：キー入力部
１４：音出力部
１５：音入力部
１６：撮影部
１７：音声信号処理部
１８：アンテナ部
１９：無線信号処理部
２０：振動部
２１：ＲＯＭ
２２：ＲＡＭ
２３：画像メモリ
２４：Ｉ／Ｆ
２５：近距離通信部
２６：電源制御部
２７：時間計測部（タイマー）
２８：制御部
【図１】
2013073470.tif 000003
【図２】
2013073470.tif 000004
【図３】
2013073470.tif 000005
【図４】
2013073470.tif 000006
【図５】
2013073470.tif 000007
【図６】
2013073470.tif 000008
【図７】
2013073470.tif 000009
【図８】
2013073470.tif 000010
【図９】
2013073470.tif 000011
【図１０】
2013073470.tif 000012
【図１１】
2013073470.tif 000013
【図１２】
2013073470.tif 000014
【図１３】
2013073470.tif 000015
【図１４】
2013073470.tif 000016
【図１５】
2013073470.tif 000017